(57)【要約】【課題】書込み装置、例えば電子黒板装置などにおいて、光源を点灯してから一定時間経過するまでの立上り時間内における、書込み内容を読み取る読取品質を向上する。【解決手段】電子黒板装置は、書込みすることができる書込みシート１、その書込みシート１上の書込み内容を読み取る読取手段１４などを備える。その読取手段１４の光源１５点灯時から一定時間、例えば１分経過するまでの立上り時間内に、書込みシート１上の書込み内容を読取手段１４で読み取る場合、読取濃度を通常使用時の標準の読取濃度よりも濃い立上り読取濃度、例えば、「普通」と「濃い」との中間濃度として読み取る。【選択図】          図２
2004194024.tif 000002
【特許請求の範囲】
【請求項１】
書込みシート上の書込み内容を、読取手段で読み取ることができる書込み装置において、
前記読取手段の光源点灯時から一定時間経過するまでの立上り時間内に、前記読取手段が書込みシート上の書込み内容を読み取る読取濃度を、通常使用時の標準の読取濃度よりも濃い立上り読取濃度として読み取ることを特徴とする、書込み装置。
【請求項２】
前記読取濃度の設定を、通常使用時の標準の読取濃度である「普通」と、その読取濃度よりも濃い読取濃度である「濃い」と、前記「普通」の読取濃度よりも薄い読取濃度である「薄い」との３段階とし、
前記立上り読取濃度を、その「普通」と「濃い」との中間濃度とすることを特徴とする、請求項１に記載の書込み装置。
【請求項３】
前記立上り時間を、一定時間とすることを特徴とする、請求項１に記載の書込み装置。
【請求項４】
前記立上り時間を、製品出荷時からの前記光源の点灯回数に応じて変更することを特徴とする、請求項１に記載の書込み装置。
【請求項５】
前記立上り時間を前記光源が消灯してから次に点灯するまでの消灯時間に応じて変更することを特徴とする、請求項１に記載の書込み装置。
【請求項６】
前記立上り時間を、製品出荷時からの前記光源の点灯総時間に応じて変更することを特徴とする、請求項１に記載の書込み装置。
【発明の詳細な説明】
【０００１】
【発明の属する技術分野】
この発明は、書込みシート上の書込み内容を読取手段で読み取って、例えばプリンタで用紙に印刷出力する電子黒板装置などの書込みシート上の書込み内容を読取手段で読み取ることができる書込み装置に関する。
【０００２】
【従来の技術】
従来、この種の書込み装置において、例えば電子黒板装置には、書込みすることができる書込みシート、その書込みシート上の書込み内容を読み取る読取手段、書込み内容を用紙に印刷出力するプリンタなどを備えていた。
【０００３】
そして、書込みシート上に書込みを行ってから、その書込み内容を印刷したいときは、例えば書込みシートを搬送しながら読取手段で読み取って、プリンタで用紙に印刷出力していた。
【０００４】
しかし、電子黒板装置の読取手段において、その読取手段が備える光源の光量が、例えば製品出荷時からの光源の点灯時間、光源が消灯してから次に点灯するまでの消灯時間、製品出荷時からの光源の点灯総時間などにより変動して一定とならないため、同一の読取品質を得られない問題があった。
【０００５】
そのような問題を解決するため、従来の電子黒板装置の中には、例えば特許文献１に記載される技術があった。
【０００６】
【特許文献１】特開２０００−３６８９４号公報
特許文献１に記載の電子黒板装置は、製品出荷時からの光源の点灯時間、光源が消灯してから次に点灯するまでの消灯時間、製品出荷時からの光源の点灯総時間をカウントしていた。
【０００７】
そして、読取手段で書込み内容を読み取る場合、前述したそれぞれの時間に応じて、読取濃度を変更していた。
【０００８】
【発明が解決しようとする課題】
しかし、そのような従来の書込み装置において、例えば、読取濃度の設定を、通常使用時の標準の読取濃度である「普通」と、その読取濃度よりも濃い読取濃度である「濃い」と、「普通」の読取濃度よりも薄い読取濃度である「薄い」との３段階とし、仮に、読取濃度を「濃い」として、光源点灯時から一定時間経過するまでの立上り時間内に書込み内容を読み取ると、立上り時間の間は光源の光量が少ないため、書込みシートの地肌と書込み内容との濃淡の差がつかず、プリンタで印刷出力した場合には、用紙の印刷内容が真っ黒になって書込み内容を読み取れない問題があった。
【０００９】
そこで、この発明の第１の目的は、書込み装置において、立上り時間内に書込み内容を読み取る読取品質を向上することにある。
【００１０】
この発明の第２の目的は、立上り読取濃度を、光量に合わせて読取濃度を最適に変えることなしに簡易に設定して読取品質を向上することにより、書込み装置を安価に提供することにある。
【００１１】
この発明の第３の目的は、立上り時間を、製品出荷時からの光源の点灯時間、光源が消灯してから次に点灯するまでの消灯時間、製品出荷時からの光源の点灯総時間などに合わせて立上り時間の設定を変えることなしに簡易に設定して読取品質を向上することにより、書込み装置を安価に提供することにある。
【００１２】
この発明の第４の目的は、書込み内容を読み取る読取品質を一層向上することにある。
【００１３】
【課題を解決するための手段】
そのため、請求項１に記載の発明は、第１の目的を達成すべく、
書込みシート上の書込み内容を、読取手段で読み取ることができる書込み装置において、
読取手段の光源点灯時から一定時間経過するまでの立上り時間内に、読取手段が書込みシート上の書込み内容を読み取る読取濃度を、通常使用時の標準の読取濃度よりも濃い立上り読取濃度として読み取ることを特徴とする。
【００１４】
請求項２に記載の発明は、第２の目的も達成すべく、
請求項１に記載の書込み装置において、
読取濃度の設定を、通常使用時の標準の読取濃度である「普通」と、その読取濃度よりも濃い読取濃度である「濃い」と、「普通」の読取濃度よりも薄い読取濃度である「薄い」との３段階とし、
立上り読取濃度を、その「普通」と「濃い」との中間濃度とすることを特徴とする。
【００１５】
請求項３に記載の発明は、第３の目的も達成すべく、
請求項１に記載の書込み装置において、
立上り時間を、一定時間とすることを特徴とする。
【００１６】
請求項４に記載の発明は、第４の目的も達成すべく、
請求項１に記載の書込み装置において、
立上り時間を、製品出荷時からの光源の点灯回数に応じて変更することを特徴とする。
【００１７】
請求項５に記載の発明は、第４の目的も達成すべく、
請求項１に記載の書込み装置において、
立上り時間を、光源が消灯してから次に点灯するまでの消灯時間に応じて変更することを特徴とする。
【００１８】
請求項６に記載の発明は、第４の目的も達成すべく、
請求項１に記載の書込み装置において、
立上り時間を、製品出荷時からの光源の点灯総時間に応じて変更することを特徴とする。
【００１９】
【発明の実施の形態】
以下、図面を参照しつつ、この発明の実施の形態につき説明する。
【００２０】
図１は、書込み装置の一例である電子黒板装置の概略構成を示す図である。図示例に示すように、電子黒板装置は、電子黒板本体２、操作部４、プリンタ５、スタンド６などを備えている。
【００２１】
電子黒板本体２は、枠部２ａから、消去可能に書き込みを行うことのできる書込みシート１の１の書込み面を表に臨ませる。
【００２２】
また、操作部４は、後述する操作キーにより電子黒板装置の各種操作を行うものである。
【００２３】
プリンタ５は、書込みシート１上に書き込まれた書込み内容を用紙に印刷出力するものである。
【００２４】
スタンド６は、電子黒板本体２を直立状態で支えるものである。そのようなスタンド６には、下部にキャスタ７を設けて、電子黒板装置を移動自在とする。なお、プリンタ５は、取付部材８によりスタンド６に取り付けている。
【００２５】
そのような電子黒板本体２は、図２に示すように、フレーム９の内部にシート搬送手段１９、読取手段１４などを備えるとともに、不図示の制御手段などを備える。
【００２６】
シート搬送手段１９は、駆動ローラ１１と従動ローラ１２を備える。そのような駆動ローラ１１と従動ローラ１２との間には、書込みシート１を掛け回して、第１書込面１ａと第２書込面１ｂを形成する。
【００２７】
また、駆動ローラ１１には、図示しない駆動源であるステップモータを接続する。一方、従動ローラ１２には、図示しないシートテンション機構を設け、書込みシート１に張力を与えている。さらに、第１書込面１ａの裏面側には、スクリーンボード１３を設けている。
【００２８】
また、書込みシート１の奥には、第１書込面１ａ、第２書込面１ｂに書込まれた書込み内容を、読取位置Ｐにおいて読み取る読取手段１４を備える。その読取手段１４は、光源１５、ミラー１６、レンズ１７、光―電気変換器であるＣＣＤ１８を備える。
【００２９】
ところで、操作部４は、詳しくは図３に示すように構成されている。すなわち、操作部４には、電子黒板装置の電源のＯＮ，ＯＦＦを行う電源キー２２、書込みシート１の送りを行う送りキー２３、書込みシート１の戻しを行う戻しキー２４、プリンタ５のヘッドをクリーニングするクリーニングキー２５、読取濃度を変更する濃度キー２６、後述する２ページ分を縮小するなどのコピーモードを変更するモードキー２７、コピー枚数を変更する枚数キー２８、印刷を開始するコピーキー２９、コピーを中断するコピーストップキー３０などの複数の操作キーを備えている。なお、電源キー２２をＯＮにすると、読取濃度は通常使用時の標準の読取濃度である「普通」に、コピーモードは標準に、コピー枚数は１枚に設定される。
【００３０】
加えて、操作部４は、電源がＯＮのときに点灯する電源ＬＥＤ３１、紙詰まりなどのエラーが発生したときに点灯するエラーＬＥＤ３２、クリーニング作動中に点灯するクリーニングＬＥＤ３３、濃度キー２６により読取濃度を「普通」の読取濃度よりも濃い読取濃度である「濃い」と設定したときに点灯する濃いＬＥＤ３４、「普通」の読取濃度よりも薄い読取濃度である「薄い」と設定したときに点灯する薄いＬＥＤ３５、モードキー２７により追加コピーを設定したときに点灯する追加ＬＥＤ３６、第１書込面１ａと第２書込面１ｂの２ページ分を縮小して１枚の用紙にコピーする２ページ集約を設定したときに点灯する２ページ集約ＬＥＤ３７、枚数キー２８が押される毎に１〜９までの数字を変化して表示するセグメントＬＥＤ３８などの複数のＬＥＤを備えている。
【００３１】
また、図４は、電子黒板本体２が備える制御手段４５のブロック図である。その制御手段４５は、例えばメイン制御基板４５ａを備え、そのメイン制御基板４５ａには、ＣＰＵ４１、ゲートアレイ４２、ＲＡＭ４４、ＲＯＭ４３を設ける。
【００３２】
前述のＣＰＵ４１は中央演算装置であり、ゲートアレイ４２は電子黒板装置にＣＰＵ４１が信号を送る際にその信号の入出力を制御するものである。また、ＲＯＭ４３は、電子黒板装置を制御する各種のプログラムを格納するものであり、ＲＡＭ４４は、読取手段１４で読み取った書込み内容を格納するものである。
【００３３】
なお、ＣＰＵ４１には、書込みシート１の読み取りエリアをライン数としてカウントするラインカウンタを備える。このラインカウンタは、詳しくは、ゲートアレイ４２から一定の間隔で送出される信号をＣＰＵ４１が受信し、この信号をもとに書込みシート１に設定されたライン数をカウントして、書込みシート１の読み取りエリアを把握するものであり、例えば、第１書込面１ａの長さは、２２１５ラインと設定されている。
【００３４】
そして、このように構成された電子黒板装置を使用するときは、図３の操作部４の電源キー２２を押し、電源をＯＮにして、電源ＬＥＤ３１を点灯させるとともに、図２に示す光源１５を点灯する。次に、図１の第１書込面１ａに、図示しないペンで絵や文字などを書き込む。
【００３５】
第１書込面１ａがいっぱいになったら、送りキー２３を押し、書込みシート１を送り、第２書込面１ｂを表に臨ませ、続けて絵や文字などを書き込む。そして、第１書込面１ａの内容を見たいときは、戻しキー２４を押し、書込みシート１を戻し、第１書込面１ａを表に臨ませる。
【００３６】
次に、第１書込面１ａの書込み内容を読み取って印刷するには、図３の操作部４において、コピーキー２９を押す。なお、前述のように、電源キー２２をＯＮにすると、読取濃度は「普通」に、コピーモードは標準に、コピー枚数は１枚に設定されるので、読取濃度を変更するときは濃度キー２６を、コピーモードを変更するときはモードキー２７を、コピー枚数を変更するときは枚数キー２８を必要に応じてそれぞれ押して変更した後、コピーキー２９を押す。
【００３７】
すると、図５において、操作部４から送信された信号が、ＣＰＵ４１にコピーの開始を通知する。これにより、図２において、図示しないステッピングモータが、駆動ローラ１１を回転させて書込みシート１を矢印のａ方向に搬送し、第１書込面１ａの先端から読取位置Ｐを順次通過して、読取手段１４が第１書込面１ａの書込み内容を順次読み取り、図５において、ＲＡＭ４４に書込み内容を格納してから、プリンタ５に送信して用紙に印刷出力することによりコピーがなされる。
【００３８】
そのような電子黒板装置において、エラーが生じたときには、エラーＬＥＤ３２が点灯し、ユーザーに警告する。
【００３９】
次に、そのような電子黒板装置において、電源投入時からのフローの一例について、図６を用いて説明し、一方、待機時からのフローの一例について、図７を用いて説明する。
【００４０】
先ず、図６に示す場合、電子黒板装置の電源キー２２を押し、電源をＯＮにする。すると、上述したように、図２に示す光源１５が点灯し、読取濃度が「普通」に設定される。
【００４１】
一方、図７に示す場合、電子黒板装置は、電源投入してから、一定時間、操作部４の送りキー２３、戻しキー２４、クリーニングキー２５、濃度キー２６、モードキー２７、枚数キー２８、コピーキー２９、コピーストップキー３０のいずれの操作キーも押されない場合、図２に示す光源１５を消灯して待機する。
【００４２】
そのような図６または図７に示す状態の電子黒板装置において、Ｓ１・Ｓ１１では、いずれかの操作キーが押されるかを判定する。操作キーが押されて入力がある場合、Ｓ２・Ｓ１２に進む。一方、いずれの操作キーも押されずに入力がない場合、操作キーが押されるまで待機する。
【００４３】
Ｓ２・Ｓ１２では、Ｓ１・Ｓ１１で押された操作キーが、コピーキー２９であるかどうか判定する。コピーキー２９でなければ、Ｓ３・Ｓ１３に進んで、押された操作キーの種類に基いて入力内容を処理してから、次の操作キーが押されるまで待機する。例えば、濃度キー２６を押した場合、読取濃度の設定を「濃い」としてから、次の操作キーが押されるまで待機する。一方、コピーキー２９であれば、Ｓ４・Ｓ１４に進む。
【００４４】
Ｓ４・Ｓ１４では、光源１５点灯時から現在まで、どれくらいの時間が経過しているかを判断し、設定した立上り時間内かどうかを判定する。立上り時間内であればＳ５・Ｓ１５に進む一方、立上り時間外であればＳ７・Ｓ１７に進む。
【００４５】
Ｓ５・Ｓ１５では、読取濃度の設定が「濃い」であるか判定する。読取濃度の設定が「濃い」であれば、Ｓ６・Ｓ１６に進む一方、「普通」または「薄い」であれば、Ｓ７・Ｓ１７に進む。
【００４６】
Ｓ６・Ｓ１６では、読取濃度の設定を、通常使用時の標準の読取濃度よりも濃い「立上り読取濃度」として、Ｓ８・Ｓ１８に進む。その「立上り読取濃度」とは、例えば、読取濃度を「普通」と「濃い」との中間濃度とするものである。
【００４７】
一方、Ｓ７・Ｓ１７では、読取濃度を設定通りとして、Ｓ８・Ｓ１８に進む。
【００４８】
Ｓ８・Ｓ１８では、上述したのと同様にして、プリンタ５が読取内容を用紙に印刷出力（コピー処理）する。
【００４９】
このようにして、読取手段１４の光源１５点灯時から一定時間経過するまでの立上り時間内に、書込みシート１上の書込み内容を読み取る場合、読取濃度を立上り読取濃度として読み取る。
【００５０】
また、前述には、読取濃度が「濃い」場合に「立上り読取濃度」とする例を示したが、読取濃度が「薄い」「普通」「濃い」のいずれの場合でも、「立上り読取濃度」としても良い。
【００５１】
なお、そのような電子黒板装置において、その電子黒板装置を安価にする場合、立上り時間を一定時間、例えば１分と設定しても良い。光源１５として、例えば蛍光灯を用いた場合、１分経過すれば、蛍光灯の光量がほぼ安定するからである。
【００５２】
一方、電子黒板装置の読取品質を向上する場合には、立上り時間を、製品出荷時から光源１５の点灯回数に応じて変更しても良いし、光源１５が消灯してから次に点灯するまでの消灯時間に応じて変更しても良いし、製品出荷時からの光源１５の点灯総時間に応じて変更しても良い。
【００５３】
ところで、上述した例における電子黒板装置には、書込みシート１上に、第１書込面１ａと第２書込面１ｂの２面の書込面を備えていたが、図８に示すように、例えば４面の書込面を備えるように、第１書込面１ａと第２書込面１ｂに加えて、第３書込面１ｃ、第４書込面１ｄの計４面の書込面を備えても良い。
【００５４】
この場合、シート搬送手段１９に従動ローラ５１・５２を追加して設け、これらを用いて書込みシート１を折返して電子黒板装置に格納する。なお、その他の構成において、図２に示したものと同様のものには同一の符号を付して説明を省略する。
【００５５】
そのような電子黒板装置が備える操作部４を、図９に示す。操作部４には、モードキー２７に対応した表示ＬＥＤとして、第１〜第４書込面１ａ・１ｂ・１ｃ・１ｄを１枚の用紙にコピーする４ページ集約ＬＥＤ３９と、第１〜第４書込面１ａ・１ｂ・１ｃ・１ｄを連続的に４枚の用紙にコピーする４ページ連続ＬＥＤ４０が、図３に示したものに追加される。なお、その他の構成において、図３に示したものと同様のものには同一の符号を付して説明を省略する。
【００５６】
なお、上述には、書込面を２面または４面とする例を示したが、この発明は、これに限られず、書込み面を例えば３面・５面などの複数の面を備えるようにしてももちろん良い。
【００５７】
【発明の効果】
以上説明したとおり、請求項１に係る発明によれば、読取手段の光源点灯時から一定時間経過するまでの立上り時間内に、読取手段が書込みシート上の書込み内容を読み取る読取濃度を、通常使用時の標準の読取濃度よりも濃い立上り読取濃度として読み取るので、立上り時間内に書込み内容を読み取る読取品質を向上することができる。
【００５８】
請求項２に係る発明によれば、立上り読取濃度を、通常使用時の標準の読取濃度である「普通」と、「普通」の読取濃度よりも濃い読取濃度である「濃い」との中間濃度とするので、立上り読取濃度を、光量に合わせて読取濃度を最適に変えることなしに単純に「普通」と「濃い」との中間濃度とし、簡易に設定して読取品質を向上できるから、請求項１に記載の効果を有する書込み装置を安価に提供することができる。
【００５９】
請求項３に係る発明によれば、立上り時間を一定時間とするので、立上り時間を、製品出荷時からの光源の点灯時間、光源が消灯してから次に点灯するまでの消灯時間、製品出荷時からの光源の点灯総時間などに合わせて立上り時間の設定を変えることなしに単純に一定時間として、簡易に設定して読取品質を向上できるから、請求項１に記載の効果を有する書込み装置を安価に提供することができる。
【００６０】
請求項４に係る発明によれば、立上り時間を、製品出荷時からの光源の点灯回数に応じて変更するので、立上り時間を光源の点灯回数に応じて細かく変更するから、書込み内容を読み取る読取品質を一層向上することができる。
【００６１】
請求項５に係る発明によれば、立上り時間を、光源が消灯してから次に点灯するまでの消灯時間に応じて変更するので、立上り時間を消灯時間に応じて細かく変更するから、書込み内容を読み取る読取品質を一層向上することができる。
【００６２】
請求項６に係る発明によれば、立上り時間を、製品出荷時からの光源の点灯総時間に応じて変更するので、立上り時間を光源の点灯総時間に応じて細かく変更するから、書込み内容を読み取る読取品質を一層向上することができる。
【図面の簡単な説明】
【図１】この発明による書込み装置の正面図である。
【図２】その書込み装置の概略横断面図である。
【図３】その書込み装置が備える操作部の平面図である。
【図４】その書込み装置が備えるメイン制御基板の構成ブロック図である。
【図５】その書込み装置が備える制御回路のブロック図である。
【図６】その書込み装置のフローチャートの一例である。
【図７】その書込み装置のフローチャートのまた別の一例である。
【図８】この発明による書込み装置の別の例の概略横断面図である。
【図９】その書込み装置が備える操作部の平面図である。
【符号の説明】
１      書込みシート
１４    読取手段
１５    光源
２６    濃度キー
【図１】
2004194024.tif 000003
【図２】
2004194024.tif 000004
【図３】
2004194024.tif 000005
【図４】
2004194024.tif 000006
【図５】
2004194024.tif 000007
【図６】
2004194024.tif 000008
【図７】
2004194024.tif 000009
【図８】
2004194024.tif 000010
【図９】
2004194024.tif 000011